(57)【要約】【課題】  冬場などの温度の低い状態でのコンピューターの使用に際し、人の手先が冷たくなる事がある事、および、人がコンピューターの操作に際し触れるコンピューター用マウスから人間が体温を奪われることが課題である。【解決手段】  ユニバーサルシリアスバス規格に応じたコンピューター用マウスに発熱体を設置し、この発熱体で、ユニバーサルシリアスバスを経由したコンピューターから供給される電力を利用して熱を作り出し、この熱をマウス表面の「コンピューター用マウスの皮膜部」まで伝える。【選択図】図１
2006338062.tif 000002
【特許請求の範囲】
【請求項１】
ユニバーサルシリアスバス規格を利用したコンピューター用マウスの内部に発熱体を設置し、この発熱体にユニバーサルシリアスバスケーブルを通じてコンピューターから電力を供給し、この発熱体から熱を発生させることで、人がコンピューター用マウスを使用する際に温感を得ることのできるコンピューター用マウスの発明。
【請求項２】
ユニバーサルシリアスバス規格を利用したコンピューター用マウスの内部に発熱体を設置し、この発熱体にユニバーサルシリアスバスケーブルを通じてコンピューターから電力を供給し、この発熱体から熱を発生させることで、人がコンピューター用マウスを使用する際に温感を得ることのできるコンピューター用マウスの発明にスイッチを設置し、発熱の有無を制御できる発明。
【発明の詳細な説明】
【技術分野】
【０００１】  この発明は、コンピューター用マウスに関するものである。
【背景技術】
【０００２】  従来のコンピューター用マウスには、発熱体は設置されていない。また、その外部はプラスティックなどの素材である。一方、「ユニバーサルシリアスバス（Ｕｎｉｖｅｒｓａｌ  Ｓｅｒｉａｌ  Ｂｕｓ）」（コンピューター向けのシリアルインターフェイス規格のことである。以下、「ユニバーサルシリアスバス」とする。）により電力の供給を受け、その電力を用いて膝掛け等に用いる製品は存在する。
【発明の開示】
【発明が解決しようとする課題】
【０００３】  冬場などの温度の低い状態でのコンピューターの使用に際し、人の手先が冷たくなる事がある事、および、人がコンピューターの操作に際し触れるコンピューター用マウスから人間が体温を奪われることが課題である。
【課題を解決するための手段】
【０００４】  まず本発明の概要について説明する。コンピューター用マウス内部に「発熱体」を設置する。この「発熱体」には、コンピューターからユニバーサルシリアスバスを経由してコンピューター用マウスに供給された電力の一部を供給する。「発熱体」に電力が供給されれば熱が発生するが、この熱を、「発熱体」を取り巻くようコンピューター用マウス内部に積めた「保温効果のある部材」に伝える。さらにこの熱を、「コンピューター用マウスの皮膜部」へ伝えることにより、熱はコンピューター用マウスの外部へ伝わり、コンピューター用マウスを人が触れる際に熱を受け取り、温感を得ることができる。【０００５】  次に本発明で利用する「発熱体」について説明する。本発明で利用する「発熱体」はどのようなものでもよいが、例えば、コンピューター用マウス内部に設置できるニクロム線、抵抗金属箔、フィルムヒーター、カーボン面状発熱体、導電性カーボン等が考えられる。ただし、ユニバーサルシリアスバス製品の規格上、電圧は＋５Ｖ、電流は最大で５００ｍＡまでであるということを考慮しなければならない。また、この「発熱体」のコンピューター用マウス内部での設置位置については、図３に「コンピューター用マウスの皮膜部」の一部を断面した場合の斜視図に示したように、コンピューター用マウス内部に設置する。【０００６】  今度は、「発熱体」への電力の供給方法について説明する。ユニバーサルシリアスバスを利用した製品は、起動しているコンピューターに接続するだけで、コンピューターに供給された電力の一部を受け取ることができる。これはコンピューターに供給された電力が、ユニバーサルシリアスバスを経由して、コンピューター用マウスなどのユニバーサルシリアスバス製品まで供給されるためである。本発明ではこの電力を利用し、コンピューター用マウス内部に設置する「発熱体」に電力を供給する。
この「発熱体」の取り付け方法については、図１に示すように、ユニバーサルシリアスバスの「Ｖｃｃ（＋５Ｖ）」と「ＧＮＤ（グラウンド）」を、「ユニバーサルシリアスバスケーブルとコンピューター用マウスの制御基盤の接続部」で、「発熱体」から延びる電線に通電できるよう、半田付けして固定する。「発熱体」から延びる「電線」については、図７に平面図を示した。
尚、ユニバーサルシリアスバスケーブルの内部構造については、図９において断面図を示したように、４本のケーブルが束なって１本のユニバーサルシリアスバスケーブルを構成している。この４本のケーブルは、それぞれ、「Ｖｃｃ（＋５Ｖ）」「ＧＮＤ（グラウンド）」「Ｄ＋（Ｄａｔａ＋）」「Ｄ−（Ｄａｔａ−）」である。本発明では、このうちの「Ｖｃｃ（＋５Ｖ）」から電力の供給を受け、コンピューター用マウス内部に設置した「発熱体」へと電力を送り、「ＧＮＤ（グラウンド）」へ循環させる。ここで、「Ｖｃｃ（＋５Ｖ）」とは、電源電圧のプラス側であり、「ＧＮＤ（グラウンド）」とは、電源のマイナス側、すなわちアースをいう。以下、これらをそれぞれ「Ｖｃｃ（＋５Ｖ）」「ＧＮＤ（グラウンド）」とする。ユニバーサルシリアスバスケーブルの「Ｖｃｃ（＋５Ｖ）「ＧＮＤ（グラウンド）」と「発熱体」を接続した場合の電子回路図は図５に示した。【０００７】  次に本発明で利用する「保温効果のある部材」についてだが、この素材については、保温効果があれば、空気層のある綿状のものやスポンジ状のものでも、空気層のないゼリー状のものであっても構わない。ここで保温効果とは、「発熱体」から発せられた熱をコンピューター用マウス内部にとどめるのに適した素材をいう。「保温効果のある部材」の取り付け方法にりいては、発熱体からの熱をコンピューター用マウスの皮膜部まで伝えるため、「発熱体」及び「コンピューター用マウスの皮膜部」の両者に接しているいることが必要である。「コンピューター用マウスの皮膜部」の位置については、図３の斜視図の中に示した。
この「保温効果のある部材」を取り付けるべき場所としては、図３に、「コンピューター用マウスの皮膜部」の一部を切断した場合の斜視図に、「保温効果のある素材を積めこむべき場所」として図示した。【０００８】  ここで、「保温効果のある部材」の素材として、ゼリー状のものや、液体、気体、紛状物等、一定の形態をとどめない素材を利用する場合には、これらの素材を皮膜することでこれらの素材を固定し、これらの素材自体がコンピューター用マウス内部の制御基盤等と接触のないようにする必要がある。また、その他の固体を利用する場合にも、これらの素材がコンピューター用マウス内部の制御基盤等と接触し、マウスが誤作動しないよう仕切を施した方がよい。尚、「保温効果のある部材」が、コンピューター用マウスの日常の使用に耐え得る場合には、「コンピューター用マウスの皮膜部」を取り付けず、「保温効果のある部材」をそのままコンピューター用マウスの表面部とすることもできる。【０００９】  最後に、「コンピューター用マウスの皮膜部」についてだが、この部材については、「発熱体」や「保温効果のある部材」、「コンピューター用マウスの制御基盤」などコンピューター用マウス内部のものを覆い、コンピューター用マウスの使用に支障がでないように内部を覆う事が出来る部材である必要がある。「コンピューター用マウスの皮膜部」の取り付け位置については、図３の斜視図の中に図示した。そして、この「コンピューター用マウスの皮膜部」を、「コンピューター用マウスの底面部」と「コンピューター用マウスの皮膜部とコンピューター用マウスの底面部の接合部」で固定し、コンピューター用マウス内部のものを外界から遮断する。この「コンピューター用マウスの皮膜部とコンピューター用マウスの底面部の接合部」についても斜視図である図３に示した。
【発明の効果】
【００１０】  従来のコンピューター用マウスは、「発熱体」は設置されておらず、外部はプラスティック等の素材であるため、冬場等の温度の低い状態で用いると、人が触れる度に体温を奪われる。特に手元は足下に比べ、足温器などが置きにくい場合が想定され、殊に冷えやすい。この「温感を得ることのできるコンピューター用マウス」では、コンピューター用マウス内部に設置した「発熱体」より得られる熱を、コンピューター用マウスの表面部ある「コンピューター用マウスの皮膜部」まで伝えることができ、その結果、人が温感を得る事ができる。【００１１】  また、従来技術である、「ユニバーサルシリアスバスにより電力の供給を受け、その電力を用いて膝掛け等の発明」との相違は、そもそも膝掛け等は、必ずしもコンピューターのユニバーサルシリアスバス端子から電力の供給を受ける必要はなく、電源コンセントから電力の供給を受ければよい製品である。一方、コンピューター用マウスは、ほとんどのコンピューターにとって必要な装置であり、その上、人が頻繁に触れる装置である。このような装置であるコンピューター用マウスの「コンピューター用マウスの皮膜部」を温めることは、膝掛け等の新たな装置を、コンピューターに必要な装置とは別途に揃える必要がないため、利便性が高い。
【発明を実施するための最良の形態】
【００１２】  最良の形態で実施する上で、まず、本発明に必要な部材について、ことに適したものの例を示す。
「発熱体」については、「フィルムヒーター」が考えられる。柔軟性があるため、コンピューター用マウスの内部のような狭い空間でも、その形状をコンピューター用マウス内部の形状にあわせやすいためである。次に「保温効果のある部材」については、「耐熱繊維からなる綿」が考えられる。保温効果がある上、熱に強いためである。最後に「コンピューター用マウスを覆う皮膜部」については、「耐熱繊維からなる布」が考えられる。やはり熱に強く、コンピューター用マウス内部を外部から遮断し、内部の綿などが外部へ出ないよう、皮膜できるためである。また、布自体にも空気層があるため、保温性がある事も、最良の形態としての材料に例示した理由である。【００１３】  次に、これらの部材を利用した場合の本発明の実施例を示す。
コンピューター用マウスのユニバーサルシリアスバスケーブルの「Ｖｃｃ（＋５Ｖ）」から電力の供給を受け、これを「発熱体」である「フィルムヒーター」に供給する。さらにこれを、ユニバーサルシリアスバスケーブルの「ＧＮＤ（グラウンド）」へ循環させる。そして「コンピューター用マウスの底面部」にある「コンピューター用マウスの制御基盤」に接触しないよう、コンピューター用マウス内部に仕切を施す。そして「発熱体」であるフィルムヒーターを「耐熱繊維からなる綿」でくるみ、コンピューター用マウス内部に詰め込む。さらにこの「フィルムヒーター」と「耐熱繊維からなる綿」を「耐熱繊維からなる布」で覆い、「コンピューター用マウスの底面部」と固定し、「耐熱繊維からなる布」を「コンピューター用マウスの皮膜部」とする。
尚、請求項２は、コンピューター用マウスの発熱体からの熱を必要としない場合に備え、スイッチを設置した発明である。スイッチについては、「発熱体」への電力の供給の有無が切り替えられればどのようなものでもよい。
スイッチの位置はコンピューター用マウスの外部から操作できる場所であればどこでも良いが、コンピューター用マウスを使用する際に、使用する人の親指が触れる側のコンピューター用マウスの側面に設置すると操作性がよい。この位置については図２に、使用者の利き手が右手である場合における位置を例示した。この図は「コンピューター用マウスの皮膜部」と、内部に設置すべき「保温効果のある素材」を取り除き、「発熱体」の電線をつないだまま、外にずらしたものを、コンピューター用マウス上方から示したものである。この請求項２における、スイッチを取り付けた場合の電子回路図は、図６に示した。また、図４には、スイッチを取り付けた場合の斜面図を図示した。【００１４】
【図面の簡単な説明】
2006338062.tif 000003
2006338062.tif 000004
2006338062.tif 000005
2006338062.tif 000006
【図１】
2006338062.tif 000007
【図２】
2006338062.tif 000008
【図３】
2006338062.tif 000009
【図４】
2006338062.tif 000010
【図５】
2006338062.tif 000011
【図６】
2006338062.tif 000012
【図７】
2006338062.tif 000013
【図８】
2006338062.tif 000014
【図９】
2006338062.tif 000015
【図１０】
2006338062.tif 000016
【手続補正書】
【提出日】平成18年5月22日(2006.5.22)
【手続補正１】
【補正対象書類名】明細書
【補正対象項目名】全文
【補正方法】変更
【補正の内容】
【発明の詳細な説明】
【技術分野】
【０００１】  この発明は、コンピューター用マウスに関するものである。
【背景技術】
【０００２】  従来のコンピューター用マウスには、発熱体は設置されていない。また、その外部はプラスティックなどの素材である。一方、「ユニバーサルシリアスバス（Ｕｎｉｖｅｒｓａｌ  Ｓｅｒｉａｌ  Ｂｕｓ）」（コンピューター向けのシリアルインターフェイス規格のことである。
以下、「ユニバーサルシリアスバス」とする。）により電力の供給を受け、その電力を用いて膝掛け等に用いる製品は存在する。
【関連する文献公知発明】
【関連技術１】
【０００３】ＵＳＢマウス（ＵＳＢ  ｍｏｕｓｅ）
インターネット上のＵＲＬ
ｈｔｔｐ：／／ｅ−ｗｏｒｄｓ．ｊｐ／ｗ／ＵＳＢＥ３８３９ＥＥ３８２Ａ６Ｅ３８２Ｂ９．ｈｔｍｌ
【関連技術２】
【０００４】オプティカルセンサーマウス（光学式マウス）
インターネット上のＵＲＬ
ｈｔｔｐ：／／ｅ−ｗｏｒｄｓ．ｊｐ／ｗ／Ｅ３８２ＡＡＥ３８３９７Ｅ３８３８６Ｅ３８２Ａ３Ｅ３８２ＡＢＥ３８３ＡＢＥ３８２ＢＢＥ３８３Ｂ３Ｅ３８２Ｂ５Ｅ３８３ＢＣＥ３８３９ＥＥ３８２Ａ６Ｅ３８２Ｂ９．ｈｔｍｌ
【関連技術３】
【０００５】インターネット上のＵＲＬ
ＵＳＢ：Ｕｎｉｖｅｒｓａｌ  Ｓｅｒｉａｌ  Ｂｕｓ
ｈｔｔｐ：／／ｗｗｗ．ｗｄｉｃ．ｏｒｇ／？ｗｏｒｄ＝ＵＳＢ＋（％Ａ５％Ｄ０％Ａ５％Ｂ９）＋％３ＡＷＤＩＣ
ｈｔｔｐ：／／ｗｗｗ．ｕｓｂ．ｏｒｇ／ｈｏｍｅ
ｈｔｔｐ：／／ｅ−ｗｏｒｄｓ．ｊｐ／ｗ／ＵＳＢ２０１．１．ｈｔｍｌ
ｈｔｔｐ：／／ｄｉｇｉｔａｌ−ｆａｑ．ｏｌｙｍｐｕｓ．ｃｏ．ｊｐ／ｆａｑ／１０２８／ａｐｐ／ｓｅｒｖｌｅｔ／ｑａｄｏｃ？ＤＩ１００１１８
【関連技術４】
【０００６】ｕｓｂケーブルの構造
インターネット上のＵＲＬ
ｈｔｔｐ：／／ｗｗｗ．ａｒｔｒａｙ．ｃｏ．ｊｐ／ｄｏｗｎｌｏａｄ／ｕｓｂ２．０ｃａｍｅｒａ．ｐｄｆ
【関連技術５】
ＵＳＢひざかけ「お膝元」及びＵＳＢホットコースター「あっちっち」
インターネット上のＵＲＬ
ｈｔｔｐ：／／ｗｗｗ．ｍｉｂ．ｃｏ．ｊｐ／
【関連技術６】
【０００７】観賞用マウス
インターネット上のＵＲＬ
ｈｔｔｐ：／／ｎｉｇａ．ｓｙｔｅｓ．ｎｅｔ／ａｔ／ｋｕｊｉｒａ．ｈｔｍｌ
【関連技術７】
【０００８】面状発熱体
インターネット上のＵＲＬ
ｈｔｔｐ：／／ｗｗｗ．ｋａｋｅｎ．ｇｒ．ｊｐ／ｓｈｏｕｓａｉ３．ｈｔｍ
ｈｔｔｐ：／／：ｗｗｗ．ｓｈｉｎｗａｓｏｋｕｔｅｉ．ｃｏ．ｊｐ／ｍｅｎｐａｔｓｕｌ／
ｈｔｔｐ：／／ｗｗｗ．ｓｈｉｎｃｅｒａ．ｃｏ．ｊｐ／ｃｅｒａｍｉｃｓ／ｍｅｎｊｏ．ｈｔｍｌ
【関連技術８】
【０００９】カーボン面状発熱体
インターネット上のＵＲＬ
ｈｔｔｐ：／／ｗｗｗ．ｄｒｉｖｅ．ｃｏ．ｊｐ／ｔｅｃｈｎｏｅｌ／ｄｅｖｅｌｏｐ／
【関連技術９】
【００１０】フレキシブル発熱体
インターネット上のＵＲＬ
ｈｔｔｐ：／／ｗｗｗ．ｓｈｏｗａ．ｃｏ．ｊｐ／Ｍｅｎｊｏｕ／ｈｅａｔｅｒ２０２．ｈｔｍｌ
【関連技術１０】
【００１１】シリコンラバーヒーター、アルミ箔ヒーター、アルミ箔ラバーヒーター、ソーインクロスヒーター
インターネット上のＵＲＬ
ｈｔｔｐ：／／ｗｗｗ．ｔｏｐｔｅｃｎｏ．ｃｏ．ｊｐ／ｇｓｒ．ｈｔｍ
【関連技術１１】
【００１２】ニクロム線
インターネット上のＵＲＬ
ｈｔｔｐ：／／ｗｗｗ．ｔｅｐｃｏ．ｃｏ．ｊｐ／ｃｏｒｐ−ｃｏｍ／ｅｌｅｃｔ−ｄｉｃｔ／ｆｉｌｅ／ｎｉ＿００４−ｊ．ｈｔｍｌ
【発明の開示】
【発明が解決しようとする課題】
【００１３】  冬場などの温度の低い状態でのコンピューターの使用に際し、人の手先が冷たくなる事がある事、および、人がコンピューターの操作に際し触れるコンピューター用マウスから人間が体温を奪われることが課題である。
【課題を解決するための手段】
【００１４】  まず本発明の概要について説明する。コンピューター用マウス内部に「発熱体」を設置する。この「発熱体」には、コンピューターからユニバーサルシリアスバスを経由してコンピューター用マウスに供給された電力の一部を供給する。「発熱体」に電力が供給されれば熱が発生するが、この熱を、「発熱体」を取り巻くようコンピューター用マウス内部に積めた「保温効果のある部材」に伝える。さらにこの熱を、「コンピューター用マウスの皮膜部」へ伝えることにより、熱はコンピューター用マウスの外部へ伝わり、コンピューター用マウスを人が触れる際に熱を受け取り、温感を得ることができる。【００１５】  次に本発明で利用する「発熱体」について説明する。本発明で利用する「発熱体」はどのようなものでもよいが、例えば、コンピューター用マウス内部に設置できるニクロム線、抵抗金属箔、フィルムヒーター、カーボン面状発熱体、導電性カーボン等が考えられる。ただし、ユニバーサルシリアスバス製品の規格上、電圧は＋５Ｖ、電流は最大で５００ｍＡまでであるということを考慮しなければならない。また、この「発熱体」のコンピューター用マウス内部での設置位置については、図３に「コンピューター用マウスの皮膜部」の一部を断面した場合の斜視図に示したように、コンピューター用マウス内部に設置する。【００１６】  今度は、「発熱体」への電力の供給方法について説明する。ユニバーサルシリアスバスを利用した製品は、起動しているコンピューターに接続するだけで、コンピューターに供給された電力の一部を受け取ることができる。これはコンピューターに供給された電力が、ユニバーサルシリアスバスを経由して、コンピューター用マウスなどのユニバーサルシリアスバス製品まで供給されるためである。本発明ではこの電力を利用し、コンピューター用マウス内部に設置する「発熱体」に電力を供給する。
この「発熱体」の取り付け方法については、図１に示すように、ユニバーサルシリアスバスの「Ｖｃｃ（＋５Ｖ）」と「ＧＮＤ（グラウンド）」を、「ユニバーサルシリアスバスケーブルとコンピューター用マウスの制御基盤の接続部」で、「発熱体」から延びる電線に通電できるよう、半田付けして固定する。「発熱体」から延びる「電線」については、図７に平面図を示した。
尚、ユニバーサルシリアスバスケーブルの内部構造については、図９において断面図を示したように、４本のケーブルが束なって１本のユニバーサルシリアスバスケーブルを構成している。この４本のケーブルは、それぞれ、「Ｖｃｃ（＋５Ｖ）」「ＧＮＤ（グラウンド）」「Ｄ＋（Ｄａｔａ＋）」「Ｄ−（Ｄａｔａ−）」である。本発明では、このうちの「Ｖｃｃ（＋５Ｖ）」から電力の供給を受け、コンピューター用マウス内部に設置した「発熱体」へと電力を送り、「ＧＮＤ（グラウンド）」へ循環させる。ここで、「Ｖｃｃ（＋５Ｖ）」とは、電源電圧のプラス側であり、「ＧＮＤ（グラウンド）」とは、電源のマイナス側、すなわちアースをいう。以下、これらをそれぞれ「Ｖｃｃ（＋５Ｖ）」「ＧＮＤ（グラウンド）」とする。ユニバーサルシリアスバスケーブルの「Ｖｃｃ（＋５Ｖ）」「ＧＮＤ（グラウンド）」と「発熱体」を接続した場合の電子回路図は図５に示した。【００１７】  次に本発明で利用する「保温効果のある部材」についてだが、この素材については、保温効果があれば、空気層のある綿状のものやスポンジ状のものでも、空気層のないゼリー状のものであっても構わない。ここで保温効果とは、「発熱体」から発せられた熱をコンピューター用マウス内部にとどめるのに適した素材をいう。「保温効果のある部材」の取り付け方法については、発熱体からの熱をコンピューター用マウスの皮膜部まで伝えるため、「発熱体」及び「コンピューター用マウスの皮膜部」の両者に接しているいることが必要である。「コンピューター用マウスの皮膜部」の位置については、図３の斜視図の中に示した。
この「保温効果のある部材」を取り付けるべき場所としては、図３に、「コンピューター用マウスの皮膜部」の一部を切断した場合の斜視図に、「保温効果のある素材を積めこむべき場所」として図示した。【００１８】  ここで、「保温効果のある部材」の素材として、ゼリー状のものや、液体、気体、紛状物等、一定の形態をとどめない素材を利用する場合には、これらの素材を皮膜することでこれらの素材を固定し、これらの素材自体がコンピューター用マウス内部の制御基盤等と接触のないようにする必要がある。また、その他の固体を利用する場合にも、これらの素材がコンピューター用マウス内部の制御基盤等と接触し、マウスが誤作動しないよう仕切を施した方がよい。尚、「保温効果のある部材」が、コンピューター用マウスの日常の使用に耐え得る場合には、「コンピューター用マウスの皮膜部」を取り付けず、「保温効果のある部材」をそのままコンピューター用マウスの表面部とすることもできる。【００１９】  最後に、「コンピューター用マウスの皮膜部」についてだが、この部材については、「発熱体」や「保温効果のある部材」、「コンピューター用マウスの制御基盤」などコンピューター用マウス内部のものを覆い、コンピューター用マウスの使用に支障がでないように内部を覆う事が出来る部材である必要がある。「コンピューター用マウスの皮膜部」の取り付け位置については、図３の斜視図の中に図示した。そして、この「コンピューター用マウスの皮膜部」を、「コンピューター用マウスの底面部」と「コンピューター用マウスの皮膜部とコンピューター用マウスの底面部の接合部」で固定し、コンピューター用マウス内部のものを外界から遮断する。この「コンピューター用マウスの皮膜部とコンピューター用マウスの底面部の接合部」についても斜視図である図３に示した。
【発明の効果】
【００２０】  従来のコンピューター用マウスは、「発熱体」は設置されておらず、外部はプラスティック等の素材であるため、冬場等の温度の低い状態で用いると、人が触れる度に体温を奪われる。特に手元は足下に比べ、足温器などが置きにくい場合が想定され、殊に冷えやすい。この「温感を得ることのできるコンピューター用マウス」では、コンピューター用マウス内部に設置した「発熱体」より得られる熱を、コンピューター用マウスの表面部ある「コンピューター用マウスの皮膜部」まで伝えることができ、その結果、人が温感を得る事ができる。【００２１】  また、従来技術である、「ユニバーサルシリアスバスにより電力の供給を受け、その電力を用いて膝掛け等の発明」との相違は、そもそも膝掛け等は、必ずしもコンピューターのユニバーサルシリアスバス端子から電力の供給を受ける必要はなく、電源コンセントから電力の供給を受ければよい製品である。一方、コンピューター用マウスは、ほとんどのコンピューターにとって必要な装置であり、その上、人が頻繁に触れる装置である。このような装置であるコンピューター用マウスの「コンピューター用マウスの皮膜部」を温めることは、膝掛け等の新たな装置を、コンピューターに必要な装置とは別途に揃える必要がないため、利便性が高い。
【発明を実施するための最良の形態】
【００２２】  最良の形態で実施する上で、まず、本発明に必要な部材について、ことに適したものの例を示す。
「発熱体」については、「フィルムヒーター」が考えられる。柔軟性があるため、コンピューター用マウスの内部のような狭い空間でも、その形状をコンピューター用マウス内部の形状にあわせやすいためである。次に「保温効果のある部材」については、「耐熱繊維からなる綿」が考えられる。保温効果がある上、熱に強いためである。最後に「コンピューター用マウスを覆う皮膜部」については、「耐熱繊維からなる布」が考えられる。やはり熱に強く、コンピューター用マウス内部を外部から遮断し、内部の綿などが外部へ出ないよう、皮膜できるためである。また、布自体にも空気層があるため、保温性がある事も、最良の形態としての材料に例示した理由である。【００２３】  次に、これらの部材を利用した場合の本発明の実施例を示す。
コンピューター用マウスのユニバーサルシリアスバスケーブルの「Ｖｃｃ（＋５Ｖ）」から電力の供給を受け、これを「発熱体」である「フィルムヒーター」に供給する。
さらにこれを、ユニバーサルシリアスバスケーブルの「ＧＮＤ（グラウンド）」へ循環させる。そして「コンピューター用マウスの底面部」にある「コンピューター用マウスの制御基盤」に接触しないよう、コンピューター用マウス内部に仕切を施す。そして「発熱体」であるフィルムヒーターを「耐熱繊維からなる綿」でくるみ、コンピューター用マウス内部に詰め込む。さらにこの「フィルムヒーター」と「耐熱繊維からなる綿」を「耐熱繊維からなる布」で覆い、「コンピューター用マウスの底面部」と固定し、「耐熱繊維からなる布」を「コンピューター用マウスの皮膜部」とする。
尚、請求項２は、コンピューター用マウスの発熱体からの熱を必要としない場合に備え、スイッチを設置した発明である。スイッチについては、「発熱体」への電力の供給の有無が切り替えられればどのようなものでもよい。
スイッチの位置はコンピューター用マウスの外部から操作できる場所であればどこでも良いが、コンピューター用マウスを使用する際に、使用する人の親指が触れる側のコンピューター用マウスの側面に設置すると操作性がよい。この位置については図２に、使用者の利き手が右手である場合における位置を例示した。この図は「コンピューター用マウスの皮膜部」と、内部に設置すべき「保温効果のある素材」を取り除き、「発熱体」の電線をつないだまま、外にずらしたものを、コンピューター用マウス上方から示したものである。この請求項２における、スイッチを取り付けた場合の電子回路図は、図６に示した。また、図４には、スイッチを取り付けた場合の斜面図を図示した。
【図面の簡単な説明】
【図１】  請求項１の発明である「温感を得ることのできるコンピューター用マウス」を上から見た平面図である。本発明は外部からでは把握できないため、コンピューター用マウスの皮膜部と、内部に設置すべき保温効果のある素材を取り除き、内部を示した図である。また、コンピューター用マウスの制御基盤の基盤上の部材については、本発明と関係の無いため省略した。
【図２】  請求項２の発明についての平面図であり、本発明を上から見た場合のものである。やはり、本発明も外部からでは把握できないため、コンピューター用マウスの皮膜部と、内部に設置すべき保温効果のある素材を取り除き、内部を示した図である。また、コンピューター用マウスの制御基盤の基盤上の部材については、本発明と関係の無いため省略した。
【図３】  請求項１の発明の切断図を斜視図で表したものある。本発明は外部からでは把握できないため、一部を切断図としたものであり、図の中で、「切断図との境界線」という円の内側がコンピューター用マウスの内部である。主に発熱体の設置場所と保温効果のある素材の設置場所を示すための図であり、保温効果のある素材を取り除いたものである。
【図４】  請求項２の発明の斜視図である。
【図５】  請求項１の発明の電子回路図である。
【図６】  請求項２のための電子回路図である。
【図７】  発熱体を示した平面図である。
【図８】  スイッチを示した平面図である。
【図９】  ユニバーサルシリアスバスケーブルの断面図である。
【図１０】  従来のコンピューター用マウスの平面図である。コンピューター用マウスの皮膜部を取り除き、コンピューター用マウスの内部を上から見た場合のものである。
【符号の説明】
１  ユニバーサルシリアスバスケーブル
２  コンピューター用マウスの底面部
３  コンピューター用マウスの制御基盤
４  ユニバーサルシリアスバスケーブルとコンピューター用マウスの制御基盤の接続部
５  発熱体
６  電線
７  スイッチを切り替えるための部材
８  スイッチ
９  保温効果のある素材を積めこむべき場所
１０  コンピューター用マウスの皮膜部
１１  コンピューター用マウスの皮膜部とコンピューター用マウスの底面部の接合部
１２  ユニバーサルシリアスバスケーブルの皮膜部
１３  「Ｖｃｃ（＋５Ｖ）」の皮膜部
１４  「Ｖｃｃ（＋５Ｖ）」
１５  「ＧＮＤ（グラウンド）」の皮膜部
１６  「ＧＮＤ（グラウンド）」
１７  「Ｄ＋（Ｄａｔａ＋）」の皮膜部
１８  「Ｄ＋（Ｄａｔａ＋）」
１９  「Ｄ−（Ｄａｔａ−）」の皮膜部
２０  「Ｄ−（Ｄａｔａ−）」
【手続補正２】
【補正対象書類名】図面
【補正対象項目名】全図
【補正方法】変更
【補正の内容】
【図１】
2006338062.tif 000017
【図２】
2006338062.tif 000018
【図３】
2006338062.tif 000019
【図４】
2006338062.tif 000020
【図５】
2006338062.tif 000021
【図６】
2006338062.tif 000022
【図７】
2006338062.tif 000023
【図８】
2006338062.tif 000024
【図９】
2006338062.tif 000025
【図１０】
2006338062.tif 000026